(57)【要約】例えば、戯れて遊ぶときのように歩行以外の移動手段で用いられるであろう部分の少なくともいくつかに摩擦係数を高めた外部領域と、袖および／または脚部とを有する子供用衣類。【選択図】図２
2004502049.tif 000002
【特許請求の範囲】
【請求項１】
歩行以外の移動運動で用いられるであろう部分の少なくともいくつかに摩擦係数を高めた外部領域を有することを特徴とする袖および／または脚部付き子供用衣類。
【請求項２】
袖のわきの下の部分に摩擦係数を高めた外部領域を含む請求項１に記載の子供用衣類。
【請求項３】
袖のひじの部分に摩擦係数を高めた外部領域を含む請求項１または２に記載の子供用衣類。
【請求項４】
脚部のすねの部分に摩擦係数を高めた外部領域を含む請求項１から３のいずれか一項に記載の子供用衣類。
【請求項５】
脚部のひざの部分に摩擦係数を高めた外部領域を含む請求項１から４のいずれか一項に記載の子供用衣類。
【請求項６】
脚部のひざ下の部分に摩擦係数を高めた外部領域を含む請求項１から５のいずれか一項に記載の子供用衣類。
【請求項７】
おしりの部分（ｓｅａｔ ａｒｅａ）に摩擦係数を高めた外部領域を含む請求項１から６のいずれか一項に記載の子供用衣類。
【請求項８】
前記領域が、前記部分にプリントされた摩擦増大材料を含む請求項１から７のいずれか一項に記載の子供用衣類。
【請求項９】
前記材料が、少なくとも１つの部分において、造形的なデザインをなす請求項８に記載の子供用衣類。
【請求項１０】
衣類が、子供をホールドしたり（ｈｏｌｄ、抱いたり、支えたり）安定させたりするために最適な位置を示す手のプリント表示を有する請求項１から９のいずれか一項に記載の子供用衣類。
【請求項１１】
おしめ用の空間をとるプリーツまたはギャザーを含む請求項１から１０のいずれか一項に記載の子供用衣類。
【請求項１２】
添付の図面の図１および図２、図３および図４、図５および図６、図７および図８、または、図９および図１０を参照して実質的に記載され図示された衣類。
【発明の詳細な説明】
【０００１】
（技術分野）
本発明は、衣類に関し、さらに詳しく言えば、子供用の衣類に関する。
【０００２】
（背景技術）
歩き始める前の子供や歩行が困難な子供は、特に、ハイハイなどの他の移動方法をとることになる。
【０００３】
ハイハイや床面を進む他の方法を促したり容易にしたりすることで、例えば、運動させて運動機能の発達を促す衣類を提供することが望ましい。
【０００４】
（発明の開示）
本発明により、歩行以外の移動手段で用いられるであろう部分の少なくともいくつかに摩擦係数を高めた外部領域を有する衣類が提供される。
【０００５】
このような領域（滑り止め領域と呼ぶ）は、特に、袖下の部分、ひじの部分、おしりの部分（ｂｕｔｔｏｃｋ ａｒｅａｓ）、ひざ下の部分（ｕｎｄｅｒｌｅｇ ａｒｅａｓ）、ひざの部分、および／または、すねの部分に設けられてよい。
【０００６】
滑り止め領域は、ゲルなどの適切な滑り止め材料を適当な部分にプリントすることにより形成されてよい。材料は、例えば、装飾的なパターンなどのパターンとして、および／または、造形的な（ｆｉｇｕｒａｔｉｖｅ）デザイン（例えば、動物、魚、鳥または虫を表すデザイン）としてプリントされてよい。特に、滑り止め領域は、親やチャイルドマインダーに子供を支える最適な場所を示すために、手を表す形状のものであってよい。
【０００７】
衣類は、上下続きの衣類または２つの部分からなる衣類であってよい。衣類は、上半身および／または下半身、腕および／または脚を覆うものであってよい。特に、衣類は、例えば、ロンパース、ワンピーススーツ、ノースリーブロンパース、またはズボンであってよい。
【０００８】
別の態様において、本発明によれば、子供をホールドしたり（ｈｏｌｄ、抱いたり、支えたり）安定させたりするために、人の手を置くための最適な位置を示す外部の印（例えば、手を表す印）がついた子供用衣類が提供される。
【０００９】
別の態様において、本発明によれば、おしめ（おむつ）用の空間をとるプリーツまたはギャザーを有する、赤ちゃんの体を覆うための衣類が提供される。
【００１０】
以下、添付の図面を参照しながら、例示的目的のみにより、本発明についてさらに記載する。
【００１１】
（発明を実施するための最良の形態）
図１および図２に示すロンパース（ｒｏｍｐｅｒ）１は、前部分をボタンで留め、赤ちゃんの体を覆い、赤ちゃん、よちよち歩きの幼児、または小児の体を覆い、袖２がある、例えば、ニット材料（綿、羊毛、合成糸）からなる上下続きのスーツとして作られる。袖２のわきの下の部分（または、ひじの部分）の外側に、摩擦係数を高めた（ｅｎｈａｎｃｅｄ）滑り止め領域３が設けられる。各滑り止め領域３は、プリント処理により適用されてよい滑り止め材料（例えば、滑り止め靴下に使用される既知のゲル）からなるスポットパターンを含む。滑り止め領域３があることで、子供は腕部で静止摩擦をかけることができ、それにより、ハイハイが促され、運動神経が発達させられる。
【００１２】
下半身またはウエスト部分にあるプリーツまたはギャザー４により、おしめ用の空間が得られる。
【００１３】
図３および図４に示されている全身スーツ１１は、袖１２および脚部１３を有する。スーツ１１は、ロンパース１に類似しており、この場合も、わきの下の部分に滑り止め領域３を、ウエストの部分にプリーツ／ギャザー４を有する。さらに、衣類は、脚部１３のひざ（または、すね）の部分にプリントされた滑り止め領域１４を有する。これらの領域１４は、手を表すような形状のものであり、子供が歩こうとするとき安定させるために、子供を支えるための最適な場所を表している。
【００１４】
図５および図６に示されているノースリーブロンパース１６は袖がなく、この場合も、ひざの部分に上述した滑り止め領域１４が設けられた脚部１７を有する。
【００１５】
図７および図８のノースリーブロンパース１８は、脚部１９のひざとすねの部分に、上述した滑り止め領域１４を有する。
【００１６】
図９および図１０に示されているズボン２１は、脚部２２のひざとすねの部分に、上述した滑り止め領域１４を有する。言うまでもなく、ズボン２１は、子供の下半身と脚のみ覆うものである。
【００１７】
図１１および図１２に示されているロンパース２３は、半袖で、脚部がない。
【００１８】
おしめ用の空間をとるために、ウエストの部分に、上述したプリーツ／ギャザー４が設けられる。おしりの部分２４に、魚を表した滑り止め領域２６がプリントされる。滑り止め領域２６は、おしりの部分２４と床との間の摩擦を増大させ、（例えば、イスからの）滑りを防止し、ハイハイを促す。
【００１９】
図１３および図１４に示されているロンパース２７は、この場合も、おしめ用の空間をとるプリーツ／ギャザー４を有する。赤ちゃんを抱き上げるときに支えるための最適な場所を示す印として、衣類の背面に手形２８がプリントされる。
【００２０】
図１５および図１６に示されているロンパース２９は、この場合も、おしめ用の空間をとるプリーツ／ギャザー４を有する。授乳後にゲップをさせるために、赤ちゃんをトントンする最適な場所を示すために、衣類の背面の上側部分に「Ｐａｔ  Ｐａｔ」という言葉がプリントされる。
【００２１】
上述した衣類の選択された特徴が、任意の特定の衣類において組み合わせて使用されてよいことを理解されたい。本発明は、特別に示した衣類のスタイルに限定されるものではない。
【図面の簡単な説明】
【図１】
ロンパースの正面図である。
【図２】
ロンパースの背面図である。
【図３】
ベビースーツの正面図である。
【図４】
ベビースーツの背面図である。
【図５】
ノースリーブロンパースの正面図である。
【図６】
ノースリーブロンパースの正面図である。
【図７】
別のノースリーブロンパースの正面図である。
【図８】
図７のノースリーブロンパースの背面図である。
【図９】
ズボンの正面図である。
【図１０】
ズボンの背面図である。
【図１１】
別のロンパースのさらなる図である。
【図１２】
図１１のロンパースの背面図である。
【図１３】
別のロンパースの正面図である。
【図１４】
図１３のロンパースの背面図である。
【図１５】
別のロンパースの正面図である。
【図１６】
図１５のロンパースの背面図である。
【図１】
2004502049.tif 000003
【図２】
2004502049.tif 000004
【図３】
2004502049.tif 000005
【図４】
2004502049.tif 000006
【図５】
2004502049.tif 000007
【図６】
2004502049.tif 000008
【図７】
2004502049.tif 000009
【図８】
2004502049.tif 000010
【図９】
2004502049.tif 000011
【図１０】
2004502049.tif 000012
【図１１】
2004502049.tif 000013
【図１２】
2004502049.tif 000014
【図１３】
2004502049.tif 000015
【図１４】
2004502049.tif 000016
【図１５】
2004502049.tif 000017
【図１６】
2004502049.tif 000018
【国際公開パンフレット】
2004502049.tif 000019
2004502049.tif 000020
2004502049.tif 000021
2004502049.tif 000022
2004502049.tif 000023
2004502049.tif 000024
2004502049.tif 000025
2004502049.tif 000026
2004502049.tif 000027
2004502049.tif 000028
2004502049.tif 000029
2004502049.tif 000030
2004502049.tif 000031
2004502049.tif 000032
2004502049.tif 000033
【手続補正書】
【提出日】平成14年8月16日(2002.8.16)
【手続補正１】
【補正対象書類名】明細書
【補正対象項目名】特許請求の範囲
【補正方法】変更
【補正の内容】
【特許請求の範囲】
【請求項１】
摩擦係数を高めた外部領域を有する袖および／または脚部付き子供用衣類であって、袖および／または脚部は、ひじと手首の中間および／またはひざと足底の中間にありハイハイする際に使用される部分に、摩擦係数を高めた外部領域を有することを特徴とする子供用衣類。
【請求項２】
ハイハイする際に使用される部分として前腕下の部分および／またはすねの部分に摩擦係数を高めた外部領域を有する請求項１に記載の子供用衣類。
【請求項３】
袖のひじの部分に摩擦係数を高めた外部領域を含む請求項１または２に記載の子供用衣類。
【請求項４】
脚部のひざの部分に摩擦係数を高めた外部領域を含む請求項１から３のいずれか一項に記載の子供用衣類。
【請求項５】
脚部のひざ下の部分に摩擦係数を高めた外部領域を含む請求項１から４のいずれか一項に記載の子供用衣類。
【請求項６】
おしりの部分（ｓｅａｔ ａｒｅａ）に摩擦係数を高めた外部領域を含む請求項１から５のいずれか一項に記載の子供用衣類。
【請求項７】
前記領域が、前記部分にプリントされた摩擦増大材料を含む請求項１から６のいずれか一項に記載の子供用衣類。
【請求項８】
前記材料が、少なくとも１つの部分において、造形的なデザインをなす請求項７に記載の子供用衣類。
【請求項９】
衣類が、子供をホールドしたり（ｈｏｌｄ、支えたり、抱いたり）安定させたりするために最適な位置を示す手のプリント表示を有する請求項１から８のいずれか一項に記載の子供用衣類。
【請求項１０】
おしめ用の空間をとるプリーツまたはギャザーを含む請求項１から９のいずれか一項に記載の子供用衣類。
【国際調査報告】
2004502049.tif 000034
2004502049.tif 000035
2004502049.tif 000036